(57)【要約】      （修正有）【課題】粉塵発生装置が粉塵を均一に発生させ、粉塵濃度の検出データがより正確である液槽用送風箱を提供する。【解決手段】液槽用送風箱は、給風ヘッド部１と箱体２を備え、箱体の内部には、フィルタ６が設けられ、箱体の内側面には、順次接続された複数のフィルタ型材が設けられ、２つのフィルタ型材の間には、隅部粉塵発生チューブ１０が設けられ、フィルタ型材の上端には、隅部粉塵発生チューブに連通している均一分配チューブが設けられ、均一分配チューブの上端には、複数の粉塵発生孔が開けられる。【選択図】図４
0003227634.tif 000002
【実用新案登録請求の範囲】
【請求項１】
給風ヘッド部と箱体を備え、前記箱体の内部には、フィルタが設けられる液槽用送風箱であって、
前記箱体の内側面には、順次接続された複数のフィルタ型材が設けられ、そのうち、２つのフィルタ型材の間には、隅部粉塵発生チューブが設けられ、前記フィルタ型材の上端には、隅部粉塵発生チューブに連通している均一分配チューブが設けられ、前記均一分配チューブの上端には、複数の粉塵発生孔が開けられる、
ことを特徴とする液槽用送風箱。
【請求項２】
２つのフィルタ型材の間には、隅部検出管が設けられ、隅部検出管と隅部粉塵発生チューブは、箱体の中心に対して対称的に配置され、隅部検出管と隅部粉塵発生チューブはいずれも箱体の底端に延在している、
ことを特徴とする請求項１に記載の液槽用送風箱。
【請求項３】
前記均一分配チューブは、フィルタ型材の上端から箱体の中心の方向へ延びて突出し、前記隅部粉塵発生チューブ及び隅部検出管の上端は、箱体の中心の方向へ延びて突出し、前記フィルタ型材の底端には、箱体の中心の方向へ延びて突出する下フランジが設けられ、前記フィルタの上下面の縁部には、シールリングが設けられ、上下シールリングはそれぞれ均一分配チューブ及び下フランジに接触する、
ことを特徴とする請求項２に記載の液槽用送風箱。
【請求項４】
前記隅部粉塵発生チューブ及び隅部検出管の上端のコーナーには、三角形位置決めブロックが設けられ、三角形位置決めブロックは、フィルタの隅部に当接する、
ことを特徴とする請求項３に記載の液槽用送風箱。
【請求項５】
前記隅部粉塵発生チューブ及び隅部検出管のいずれの側面にも、位置決めシートが設けられ、前記均一分配チューブ及び下フランジのいずれにも、位置決めスロットが設けられ、位置決めシートは位置決めスロットに挿入されて固定される、
ことを特徴とする請求項４に記載の液槽用送風箱。
【請求項６】
前記箱体の底端には、ロック溝が設けられ、箱体の内部には、位置決めレバーが設けられ、フィルタ型材の上端は位置決めレバーの下方に当接し、前記ロック溝には、フィルタ型材を支持する支持ブロックが挿入されている、
ことを特徴とする請求項５に記載の液槽用送風箱。
【考案の詳細な説明】
【技術分野】
【０００１】
本考案は、送風箱体の分野に属し、より具体的には、液槽用送風箱に関する。
【背景技術】
【０００２】
従来技術における液槽用送風箱は、通常、給風ヘッド部と箱体を備え、箱体の内部にはフィルタを有し、風が給風ヘッド部から箱体に入り、フィルタで濾過された後に室内に入り、且つ箱体の内部のフィルタの上方には、粉塵発生装置が設けられ、粉塵発生装置は、箱体の内部へ粉塵を発生させ、箱体の内部の粉塵濃度及びフィルタの下方におけるろ過済みの粉塵の濃度を検出することでろ過効果を検出するものであり、従来の粉塵発生装置は、すべて１本の粉塵発生チューブを有し、その粉塵発生が不均一であり、その結果、検出データに大きな偏差をもたらし、且つ、通常、フィルタを容易に交換できるようにフィルタのサイズが箱体の内部のサイズ未満であるが、従来のフィルタは、箱体の中心に合わせにくく、中央に取り付けられるのではなく、ずれた位置に取り付けられる場合が多い。
【考案の概要】
【考案が解決しようとする課題】
【０００３】
従来技術の欠点に対して、本考案は、粉塵発生装置が粉塵を均一に発生でき、検出データがより正確になる液槽用送風箱を提供する。
【課題を解決するための手段】
【０００４】
上記目的を達成させるために、本考案は、下記技術案を提供する。給風ヘッド部と箱体を備え、前記箱体の内部には、フィルタが設けられる液槽用送風箱であって、
前記箱体の内側面には、順次接続された複数のフィルタ型材が設けられ、そのうち、２つのフィルタ型材の間には、隅部粉塵発生チューブが設けられ、前記フィルタ型材の上端には、隅部粉塵発生チューブに連通している均一分配チューブが設けられ、前記均一分配チューブの上端には、複数の粉塵発生孔が開けられる。
【０００５】
さらに、２つのフィルタ型材の間には、隅部検出管が設けられ、隅部検出管と隅部粉塵発生チューブは、箱体の中心に対して対称的に配置され、隅部検出管と隅部粉塵発生チューブはいずれも箱体の底端に延在している。
【０００６】
さらに、前記均一分配チューブは、フィルタ型材の上端から箱体の中心の方向へ延びて突出し、前記隅部粉塵発生チューブ及び隅部検出管の上端は、箱体の中心の方向へ延びて突出し、前記フィルタ型材の底端には、箱体の中心の方向へ延びて突出する下フランジが設けられ、前記フィルタの上下面の縁部には、シールリングが設けられ、上下シールリングはそれぞれ均一分配チューブ及び下フランジに接触する。
【０００７】
さらに、前記隅部粉塵発生チューブ及び隅部検出管の上端のコーナーには、フィルタの隅部に当接している三角形位置決めブロックが設けられる。
【０００８】
さらに、前記隅部粉塵発生チューブ及び隅部検出管のいずれの側面にも、位置決めシートが設けられ、前記均一分配チューブ及び下フランジのいずれにも、位置決めスロットが設けられ、位置決めシートは位置決めスロットに挿入されて固定される。
【０００９】
さらに、前記箱体の底端には、ロック溝が設けられ、箱体の内部には、位置決めレバーが設けられ、フィルタ型材の上端は位置決めレバーの下方に当接し、前記ロック溝には、フィルタ型材を支持する支持ブロックが挿入されている。
【考案の効果】
【００１０】
従来技術に比べて、本考案の有益な効果は、以下のとおりである。均一分配チューブと隅部粉塵発生チューブが連通するように設けられることによって、気流を合理的に配分し、粉塵をより均一に発生させ、粉塵濃度の読み取り性を高め、隅部粉塵発生チューブ及び隅部検出管のいずれにも三角形位置決めブロックを有することによって、フィルタを取り付けるときに、フィルタの上端の隅部が三角形位置決めブロックに当接し、フィルタを箱体の中心へ移動させ、中央に取り付けることが確保され、シールリングと結合することによりフィルタと箱体との結合部位がシールされる。
【図面の簡単な説明】
【００１１】
【図１】本考案に係る液槽用送風箱の立体構造図である。
【図２】本考案に係る液槽用送風箱の下面図である。
【図３】図２におけるＡ−Ａ部の断面図である。
【図４】図２におけるＢ−Ｂ部の断面図である。
【図５】本考案において隅部粉塵発生チューブと１つのフィルタ型材が結合されたときの立体構造図の一例である。
【図６】本考案において隅部粉塵発生チューブと１つのフィルタ型材が結合されたときの別の立体構造図である。
【図７】本考案に係る隅部検出管の立体構造図の一例である。
【図８】本考案に係る隅部検出管の別の立体構造図である。
【図９】図３におけるＣ部の拡大図である。
【考案を実施するための形態】
【００１２】
図１〜図９を参照しながら、本考案に係る液槽用送風箱の実施例をさらに説明する。
【００１３】
なお、本考案の説明において、方位用語、たとえば、用語「中心」、「横方向（Ｘ）」、「縦方向（Ｙ）」、「垂直方向（Ｚ）」、「長さ」、「幅」、「厚さ」、「上」、「下」、「前」、「後」、「左」、「右」、「鉛直」、「水平」、「頂」、「底」、「内」、「外」、「時計回り」、「反時計回り」などにより示される方位及び位置関係は、図面に示される方位又は位置関係に基づくものであり、本考案の説明の便宜上及び説明の簡素化のために過ぎず、示される装置又は素子が必ずしも特定の方位を有したり、特定の方位で構想・操作されたりすることを指示又は示唆するものではなく、本考案の具体的な請求の範囲を制限するものではない。
【００１４】
さらに、用語「第１」、「第２」は、目的を説明するために過ぎず、相対重要性、又は技術的特徴の数を暗黙的に含むことを指示又は示唆するものではない。したがって、「第１」、「第２」により限定される特徴は、１つ以上のこの特徴を明示的または暗黙的に含めることを意味し、本考案の説明において、「多数」、「複数」とは、特に断らない限り、２つ以上を意味する。
【００１５】
液槽用送風箱は、給風ヘッド部１と箱体２を備え、前記箱体２の内部には、フィルタ６が設けられ、前記箱体２の内側面には、順次接続された複数のフィルタ型材８が設けられ、そのうち、２つのフィルタ型材８の間には、隅部粉塵発生チューブ１０が設けられ、前記フィルタ型材８の上端には、隅部粉塵発生チューブ１０に連通している均一分配チューブ８１が設けられ、前記均一分配チューブ８１の上端には、複数の粉塵発生孔８１１が開けられる。
【００１６】
検出する際に、隅部粉塵発生チューブ１０により箱体２の内部に粉塵を発生させ、粉塵が隅部粉塵発生チューブ１０、均一分配チューブ８１及び粉塵発生孔８１１を介して箱体２の内部に均一に分配され、フィルタ６で濾過され、このとき、ろ過後の空気を検出する際に、検出数値がより正確になり、フィルタ６の実際のろ過効果が示される。
【００１７】
図１に示されるように、給風ヘッド部１と箱体２の接続部位には、大顆粒物質の初期ろ過のためにろ過網３が設けられ、箱体２の縁部には、タグ５が設けられる。
【００１８】
本実施例におけるフィルタ型材８は、箱体２の内部に直接固定されるか、又は、下記するように取り外し可能に箱体２の内部に取り付けられる。
【００１９】
本実施例では、好ましくは、２つのフィルタ型材８の間には、隅部検出管９が設けられ、隅部検出管９と隅部粉塵発生チューブ１０は、箱体２の中心に対して対称的に配置され、隅部検出管９と隅部粉塵発生チューブ１０のいずれも箱体２の底端に延在している。
【００２０】
図４に示されるように、隅部粉塵発生チューブ１０は、箱体２の内部へ粉塵を発生させ、隅部検出管９によりＤＯＰ検出が行われるため、より簡便で正確に検出できる。
【００２１】
本実施例では、好ましくは、前記均一分配チューブ８１は、フィルタ型材８の上端から箱体２の中心の方向へ延びて突出し、前記隅部粉塵発生チューブ１０及び隅部検出管９の上端は、箱体２の中心の方向へ延びて突出し、前記フィルタ型材８の底端には、箱体２の中心の方向へ延びて突出する下フランジ８２が設けられ、前記フィルタ６の上下面の縁部には、シールリングが設けられ、上下シールリングはそれぞれ均一分配チューブ８１及び下フランジ８２に接触する。
【００２２】
フィルタ６の上下面は、均一分配チューブ８１と下フランジ８２との間に限制され、フィルタ６に設けられるシールリングによって、フィルタ型材８に対してシール効果がある。
【００２３】
本実施例では、好ましくは、前記箱体２の底端には、ロック溝２７が設けられ、箱体２の内部には、位置決めレバー２１が設けられ、フィルタ型材８の上端は位置決めレバー２１の下方に当接し、前記ロック溝２７には、フィルタ型材８を支持する支持ブロック７が挿入されている。
【００２４】
図９に示されるように、好ましくは、位置決めレバー２１の下方には、２つのグルーブ２１１を有し、好ましくは、フィルタ型材８のトップでは、発泡シールリングを基材として、次にゼリー状接着剤で覆って、取り付けるときに、フィルタ型材８が上へ突き上がってグルーブ２１１と接触し、このとき、グルーブ２１１とゼリー状接着剤は完全に接触してシール作用を果たす。
【００２５】
フィルタ６が立方体である例では、４つのフィルタ型材８があり、４つのフィルタ型材８はそれぞれフィルタ６の四面に配置され、隅部粉塵発生チューブ１０及び隅部検出管９は対応する位置に配置され、それによって、フィルタ６、フィルタ型材８、隅部検出管９及び隅部粉塵発生チューブ１０は一体化しており、フィルタ型材８のトップにおけるゼリー状接着剤が位置決めレバー２１のグルーブ２１１に接触するまで、この一体化したものは、箱体２の底部から入られ、位置決めレバー２１とフィルタ型材８は完全シール状態になり、次に、支持ブロック７がロック溝２７に挿入されてこの全体を支持し、このようにして、簡便に着脱することができ、製造するときに、各部材を生産したものを現場で組み立てることができ、よりシンプルかつ簡便に製造することができる。
【００２６】
本実施例では、好ましくは、前記隅部粉塵発生チューブ１０及び隅部検出管９のいずれの側面にも、位置決めシート１０１が設けられ、前記均一分配チューブ８１及び下フランジ８２のいずれにも、位置決めスロット８０１が設けられ、位置決めシート１０１は、位置決めスロット８０１に挿入されて固定される。
【００２７】
図５、図６、図７及び図８に示されるように、隅部粉塵発生チューブ１０及び隅部検出管９のいずれも、４つの位置決めシート１０１を有し、２つは、上方に分布しており、均一分配チューブ８１と協働し、２つは下方に分布しており、下フランジ８２と協働し、隅部粉塵発生チューブ１０、隅部検出管９及びフィルタ型材８を組み立てるときに、位置決めシート１０１はそれぞれ均一分配チューブ８１及び下フランジ８２の位置決めスロット８０１に挿入されればよく、このため、簡便に取り付けることができ、組み立てギャップは、ポリウレタンＡＢ接着剤を用いてシールされ、ＡＢ接着剤の性能が従来のガラスセメントの粘着性及び強度よりもはるかに優れており、且つガラスセメントが老化しやすいため、箱体２の残りの組み立てギャップ（箱体２と給風ヘッド部１の間など）もポリウレタンＡＢ接着剤でシールされ、この箱体２は、数年間使用しても、粘着性や強度を維持し、老化しにくい。
【００２８】
本実施例では、好ましくは、前記隅部粉塵発生チューブ１０及び隅部検出管９の上端のコーナーには、フィルタ６の隅部に当接している三角形位置決めブロック９１が設けられる。
【００２９】
図４、５及び６に示されるように、三角形位置決めブロック９１の傾斜面は、箱体２の内部に傾斜するように向かい、つまり、フィルタ６を組み立てるときに、フィルタ６の上端の隅部は三角形位置決めブロック９１に接触し、三角形位置決めブロック９１が押しされるにつれて、フィルタ６が箱体２の中心へ移動し、それによって、フィルタ６が中央に取り付けられる。
【００３０】
以上は、本考案の好適実施形態であり、本考案の請求の範囲は上記実施例に制限されず、本考案の構想による技術案であれば、本考案の特許範囲に属する。明らかなように、当業者であれば、本考案の原理を逸脱することなく、いくつかの改良及び修飾を行うことができ、これら改良及び修飾も本考案の請求の範囲であるとみなすべきである。
【符号の説明】
【００３１】
１、給風ヘッド部
２、箱体
２１、位置決めレバー
２１１、グルーブ
２７、ロック溝
３、ろ過網
５、タグ
６、フィルタ
７、支持ブロック
８、フィルタ型材
８１、均一分配チューブ
８１１、粉塵発生孔
８２、下フランジ
８０１、スロット
９、隅部検出管
９１、三角形位置決めブロック
１０、隅部粉塵発生チューブ
１０１、シート。
【図１】
0003227634.tif 000003
【図２】
0003227634.tif 000004
【図３】
0003227634.tif 000005
【図４】
0003227634.tif 000006
【図５】
0003227634.tif 000007
【図６】
0003227634.tif 000008
【図７】
0003227634.tif 000009
【図８】
0003227634.tif 000010
【図９】
0003227634.tif 000011